【手続補正書】
【提出日】平成17年8月19日(2005.8.19)
【手続補正１】
【補正対象書類名】明細書
【補正対象項目名】特許請求の範囲
【補正方法】変更
【補正の内容】
【特許請求の範囲】
【請求項１】
情報提供装置、通信端末及び利用者情報管理装置を有するプッシュ型情報提供システムにて、前記情報提供装置から前記通信端末へ情報を提供するプッシュ型情報提供方法であって：
前記利用者情報管理装置は、前記通信端末の利用者の状態に応じた情報を受信して管理する、
ことを特徴とするプッシュ型情報提供方法。
【請求項２】
情報提供装置、通信端末及び利用者情報管理装置を有するプッシュ型情報提供システムにて、前記情報提供装置から前記通信端末へ情報を提供するプッシュ型情報提供方法であって：
前記通信端末は、当該通信端末の利用者の状態に応じた情報を前記利用者情報管理装置へ通知し、
前記利用者情報管理装置は、前記通信端末から通知される利用者の状態に応じた情報を管理する、
ことを特徴とするプッシュ型情報提供方法。
【請求項３】
情報提供装置、通信端末及び利用者情報管理装置を有するプッシュ型情報提供システムにて、前記情報提供装置から前記通信端末へ情報を提供するプッシュ型情報提供方法であって：
前記通信端末は、利用者による当該通信端末の操作により当該通信端末の利用者の状態に応じた情報を生成し、前記利用者情報管理装置へ通知し、
前記利用者情報管理装置は、
前記通信端末から通知される利用者の状態に応じた情報を管理し、
前記管理している利用者の状態に応じた情報に基づいて、情報の提供先となる通信端末を決定し、
前記の決定された情報の提供先となる通信端末に関する情報を前記情報提供装置へ通知する、
ことを特徴とするプッシュ型情報提供方法。
【請求項４】
情報提供装置、通信端末及び利用者情報管理装置を有するプッシュ型情報提供システムにて、前記情報提供装置から前記通信端末へ情報を提供するプッシュ型情報提供方法であって：
前記通信端末は、自動的に当該通信端末の利用者の状態に応じた情報を生成し、前記利用者情報管理装置へ通知し、
前記利用者情報管理装置は、
前記通信端末から通知される利用者の状態に応じた情報を管理し、
前記管理している利用者の状態に応じた情報に基づいて、情報の提供先となる通信端末を決定し、
前記の決定された情報の提供先となる通信端末に関する情報を前記情報提供装置へ通知する、
ことを特徴とするプッシュ型情報提供方法。
【請求項５】
情報提供装置、通信端末及び利用者情報管理装置を有するプッシュ型情報提供システムにて、前記情報提供装置から前記通信端末へ情報を提供するプッシュ型情報提供方法であって：
前記通信端末は、当該通信端末の利用者の状態に応じた情報および当該通信端末が要求する情報を示す情報を前記利用者情報管理装置へ通知し、
前記利用者情報管理装置は、
前記通信端末から通知される利用者の状態に応じた情報および当該通信端末が要求する情報を示す情報を管理し、
前記管理している利用者の状態に応じた情報および当該通信端末が要求する情報を示す情報に基づいて、情報の提供先となる通信端末を決定し、
前記決定した通信端末に関する情報を前記情報提供装置へ通知する、
ことを特徴とするプッシュ型情報提供方法。
【請求項６】
請求項３乃至５の何れかに記載のプッシュ型情報提供方法であって：
前記情報提供装置は、前記利用者情報管理装置から通知される情報の提供先となる通信端末に関する情報に基づいて、提供対象の情報を送信する、
ことを特徴とするプッシュ型情報提供方法。
【請求項７】
請求項２乃至６の何れかに記載のプッシュ型情報提供方法であって：
前記通信端末は、当該通信端末の利用者の状態変化に応じて、利用者の状態に応じた新たな情報を生成し、通知する、
ことを特徴とするプッシュ型情報提供方法。
【請求項８】
請求項２乃至７の何れかに記載のプッシュ型情報提供方法であって：
前記利用者情報管理装置は、前記通信端末から利用者の状態に応じた情報が通知される毎に、前記管理している利用者の状態に応じた情報を更新する、
ことを特徴とするプッシュ型情報提供方法。
【請求項９】
請求項５乃至８の何れかに記載のプッシュ型情報提供方法であって：
前記情報提供装置は、提供対象の情報に関する情報を前記利用者情報管理装置へ通知し、
前記利用者情報管理装置は、前記情報提供装置から通知される提供対象の情報に関する情報に基づいて、前記情報の提供先となる通信端末を決定する、
ことを特徴とするプッシュ型情報提供方法。
【請求項１０】
請求項２乃至９の何れかに記載のプッシュ型情報提供方法であって：
前記利用者情報管理装置は、前記情報の提供先となる通信端末が存在しなくなった場合に、その旨を前記情報提供装置へ通知する、
ことを特徴とするプッシュ型情報提供方法。
【請求項１１】
情報提供装置、通信端末及び利用者情報管理装置を有し、前記情報提供装置から前記通信端末へ情報を提供するプッシュ型情報提供システムであって：
前記利用者情報管理装置は、前記通信端末の利用者の状態に応じた情報を受信して管理する利用者状態管理手段を備えた、
ことを特徴とするプッシュ型情報提供システム。
【請求項１２】
情報提供装置、通信端末及び利用者情報管理装置を有し、前記情報提供装置から前記通信端末へ情報を提供するプッシュ型情報提供システムであって：
前記通信端末は、当該通信端末の利用者の状態に応じた情報を前記利用者情報管理装置へ通知する利用者状態通知手段を備え、
前記利用者情報管理装置は、前記通信端末から通知される利用者の状態に応じた情報を管理する利用者状態管理手段を備えた、
ことを特徴とするプッシュ型情報提供システム。
【請求項１３】
情報提供装置、通信端末及び利用者情報管理装置を有し、前記情報提供装置から前記通信端末へ情報を提供するプッシュ型情報提供システムであって：
前記通信端末は、利用者による当該通信端末の操作により当該通信端末の利用者の状態に応じた情報を生成し、前記利用者情報管理装置へ通知する利用者状態通知手段を備え、
前記利用者情報管理装置は、
前記通信端末から通知される利用者の状態に応じた情報を管理する利用者状態管理手段と、
前記管理している利用者の状態に応じた情報に基づいて、情報の提供先となる通信端末を決定する提供先決定手段と、
前記の決定された情報の提供先となる通信端末に関する情報を前記情報提供装置へ通知する提供先通知手段とを備えた、
ことを特徴とするプッシュ型情報提供システム。
【請求項１４】
情報提供装置、通信端末及び利用者情報管理装置を有し、前記情報提供装置から前記通信端末へ情報を提供するプッシュ型情報提供システムであって：
前記通信端末は、自動的に当該通信端末の利用者の状態に応じた情報を生成し、前記利用者情報管理装置へ通知する利用者状態通知手段を備え、
前記利用者情報管理装置は、
前記通信端末から通知される利用者の状態に応じた情報を管理する利用者状態管理手段と、
前記管理している利用者の状態に応じた情報に基づいて、情報の提供先となる通信端末を決定する提供先決定手段と、
前記の決定された情報の提供先となる通信端末に関する情報を前記情報提供装置へ通知する提供先決定手段とを備えた、
ことを特徴とするプッシュ型情報提供システム。
【請求項１５】
情報提供装置、通信端末及び利用者情報管理装置を有し、前記情報提供装置から前記通信端末へ情報を提供するプッシュ型情報提供システムであって：
前記通信端末は、当該通信端末の利用者の状態に応じた情報および当該通信端末が要求する情報を示す情報を前記利用者情報管理装置へ通知する利用者状態通知手段を備え、
前記利用者情報管理装置は、
前記通信端末から通知される利用者の状態に応じた情報および当該通信端末が要求する情報を示す情報を管理する利用者状態管理手段と、
前記管理している利用者の状態に応じた情報および当該通信端末が要求する情報を示す情報に基づいて、情報の提供先となる通信端末を決定する提供先決定手段と、
前記の決定された情報の提供先となる通信端末に関する情報を前記情報提供装置へ通知する提供先通知手段とを備えた、
ことを特徴とするプッシュ型情報提供システム。
【請求項１６】
請求項１３乃至１５の何れかに記載のプッシュ型情報提供システムであって：
前記情報提供装置は、前記利用者情報管理装置から通知される情報の提供先となる通信端末に関する情報に基づいて、提供対象の情報を送信する、
ことを特徴とするプッシュ型情報提供システム。
【請求項１７】
請求項１２乃至１６の何れかに記載のプッシュ型情報提供システムであって：
前記通信端末は、当該通信端末の利用者の状態変化に応じて、利用者の状態に応じた新たな情報を生成し、通知する、
ことを特徴とするプッシュ型情報提供システム。
【請求項１８】
請求項１２乃至１７の何れかに記載のプッシュ型情報提供システムであって：
前記利用者情報管理装置は、前記通信端末から利用者の状態に応じた情報が通知される毎に、前記管理している利用者の状態に応じた情報を更新する、
ことを特徴とするプッシュ型情報提供システム。
【請求項１９】
請求項１５乃至１８の何れかに記載のプッシュ型情報提供システムであって：
前記情報提供装置は、提供対象の情報に関する情報を前記利用者情報管理装置へ通知する提供情報通知手段を備え、
前記利用者情報管理装置の提供先決定手段は、前記情報提供装置から通知される提供対象の情報に関する情報に基づいて、前記情報の提供先となる通信端末を決定する、
ことを特徴とするプッシュ型情報提供システム。
【請求項２０】
請求項１２乃至１９の何れかに記載のプッシュ型情報提供システムであって：
前記利用者情報管理装置は、前記情報の提供先となる通信端末が存在しなくなった場合に、その旨を前記情報提供装置へ通知する、
ことを特徴とするプッシュ型情報提供システム。
【請求項２１】
情報提供装置から通信端末へ情報を提供するプッシュ型情報提供システムにおける利用者情報管理装置であって：
前記通信端末の利用者の状態に応じた情報を受信して管理する利用者状態管理手段を備えた、
ことを特徴とする利用者情報管理装置。
【請求項２２】
情報提供装置、通信端末及び利用者情報管理装置を有し、前記情報提供装置から当該通信端末へ情報を提供するプッシュ型情報提供システムにおける通信端末であって：
当該通信端末の利用者の状態に応じた情報を前記利用者情報管理装置へ通知する利用者状態通知手段を備えた、
ことを特徴とする通信端末。
【請求項２３】
情報提供装置、通信端末及び利用者情報管理装置を有し、前記情報提供装置から当該通信端末へ情報を提供するプッシュ型情報提供システムにおける通信端末であって：
利用者による当該通信端末の操作により当該通信端末の利用者の状態に応じた情報を生成し、前記利用者情報管理装置へ通知する利用者状態通知手段を備えた、
ことを特徴とする通信端末。
【請求項２４】
情報提供装置、通信端末及び利用者情報管理装置を有し、前記情報提供装置から当該通信端末へ情報を提供するプッシュ型情報提供システムにおける通信端末であって：
自動的に当該通信端末の利用者の状態に応じた情報を生成し、前記利用者情報管理装置へ通知する利用者状態通知手段を備えた、
ことを特徴とする通信端末。
【請求項２５】
情報提供装置から通信端末へ情報を提供するプッシュ型情報提供システムにおける利用者情報管理装置であって：
前記通信端末から通知される利用者の状態に応じた情報および当該通信端末が要求する情報を示す情報を管理する利用者状態管理手段と、
前記管理している利用者の状態に応じた情報および当該通信端末が要求する情報を示す情報に基づいて、情報の提供先となる通信端末を決定する提供先決定手段と、
前記の決定された情報の提供先となる通信端末に関する情報を前記情報提供装置へ通知する提供先通知手段とを備えた、
ことを特徴とする利用者情報管理装置。
【請求項２６】
情報提供装置、通信端末及び利用者情報管理装置を有し、当該情報提供装置から当該通信端末へ情報を提供するプッシュ型情報提供システムにおける情報提供装置であって：
前記利用者情報管理装置から通知される情報の提供先となる通信端末に関する情報に基づいて、提供対象の情報を送信する、
ことを特徴とする情報提供装置。
【請求項２７】
請求項２２乃至２４の何れかに記載の通信端末であって：
当該通信端末の利用者の状態変化に応じて、利用者の状態に応じた新たな情報を生成し、前記利用者情報管理装置へ通知する、
ことを特徴とする通信端末。
【請求項２８】
請求項２５に記載の利用者情報管理装置であって：
前記通信端末から利用者の状態に応じた情報が通知される毎に、前記管理している利用者の状態に応じた情報を更新する、
ことを特徴とする利用者情報管理装置。
【請求項２９】
請求項２８に記載の利用者情報管理装置であって：
当該利用者情報管理装置の提供先決定手段は、前記情報提供装置から通知される提供対象の情報に関する情報に基づいて、前記情報の提供先となる通信端末を決定する、
ことを特徴とする利用者情報管理装置。
【請求項３０】
請求項２９に記載の利用者情報管理装置であって：
前記情報の提供先となる通信端末が存在しなくなった場合に、その旨を前記情報提供装置へ通知する、
ことを特徴とする利用者情報管理装置。